(57)【要約】      （修正有）【課題】美観が良好で、かつファスナーの上端が自然に開放されることの無いファスナー付きパンツ等の衣類を提供する。【解決手段】パンツ、スカート等の衣類を形成する前身頃地１と後身頃地２の上縁部にゴム帯５を封入した腰帯地３を接合し、後身頃地２の近傍に位置する腰帯地３は、上記ゴム帯５をその伸縮に追随して伸縮するよう縫い付け、前身頃地１の近傍に位置する腰帯地３は、ゴム帯５を同ゴム帯５が伸縮しないよう縫い付けるとともに、上記前身頃地１の前開き部ａにファスナー４を設け、このファスナー４は、股上ｂの位置から腰帯地３の両端３ａ、３ｂの上縁位置まで配設した。【選択図】図３
0003107412.tif 000002
【実用新案登録請求の範囲】
【請求項１】
パンツ、スカート等の衣類を形成する前身頃地と後身頃地の上縁部にゴム帯を封入した腰帯地を接合し、後身頃地近傍に位置する腰帯地は、上記ゴム帯をその伸縮に追随して伸縮するよう縫い付け、前身頃地近傍に位置する腰帯地は、ゴム帯を同ゴム帯が伸縮しないよう縫い付けるとともに、上記前身頃地の前開き部にファスナーを設け、このファスナーは、股上位置から腰帯地の両端の上縁位置まで配設したことを特徴とするファスナー付き衣類。
【請求項２】
ファスナーの上端位置に小型フックを備えた請求項１記載のファスナー付き衣類。
【考案の詳細な説明】
【技術分野】
【０００１】
本考案は、ファスナー付きのパンツ、スカート等の衣類に関するものである。
【背景技術】
【０００２】
男子用のパンツまたは女子用のスカート等には、一般に前開きまたは後ろ開きできるようにファスナーが取付けられており、このファスナーは、股上部の位置から腰部ベルト部の位置まで設けられていることが多い。
【０００３】
この場合、下腹部に力が入ったりすると、ファスナーの結合が外れ、ファスナー上端が開き、窓開き状態になったり、場合によっては、パンツがずり落ちる等、恥ずかしい事態が発生することがあった（特許文献１参照）。
【特許文献１】実開平６−２０４１号公報
【考案の開示】
【考案が解決しようとする課題】
【０００４】
これを解決するため、従来は、ファスナーの上端位置を腰帯地の上縁部まで設けて、ファスナーが開かないようにしたものがあるが、ファスナーの位置だけでは十分ではなく、結局、ファスナー前面を跨ぐように部分的な係止片あるいはボタンを取付け、このような係止手段で止着せざるを得ない点で問題を有し、美観的にもよくない点を残していた。
【０００５】
本考案は、この問題点を解決し、確実なファスナーの止着と、良好な美観が得られるファスナー付き衣類を提供することを目的とする。
【課題を解決するための手段】
【０００６】
上記の目的を達成するために、本考案のファスナー付き衣類は、パンツ、スカート等の衣類を形成する前身頃地と後身頃地の上縁部にゴム帯を封入した腰帯地を接合し、後身頃地近傍に位置する腰帯地は、上記ゴム帯をその伸縮に追随して伸縮するよう縫い付け、前身頃地近傍に位置する腰帯地は、ゴム帯を同ゴム帯が伸縮しないよう縫い付けるとともに、上記前身頃地の前開き部にファスナーを設け、このファスナーは、股上位置から腰帯地の両端の上縁位置まで配設したことを特徴とする。
【考案の効果】
【０００７】
本考案のファスナー付き衣類によれば、後身頃の範囲に限り、ゴム帯に引張り力を作用させ、前身頃部分の腰帯地に張りを与えるとともに、ファスナー上端を腰帯地の上縁部にまで位置させているため、後身頃部分のゴム帯の引張り力がファスナーの上縁端が締まる方向に作用し、ファスナーの上端が開かないようベルトやボタンを用いる必要がないため、美観を良好に保つことができると共に、不用意にファスナー上端が開放されて窓開き状態、あるいはパンツの落下状態を発生させることのないファスナー付き衣類を提供できるものである。
【考案を実施するための最良の形態】
【０００８】
以下に、本考案の一実施形態におけるファスナー付き衣類について、図面を参照しながら説明する。
【０００９】
図１〜３において、ポリエステル９５％、ポリウレタン5％からなる上下左右に若干の伸縮性を有する生地を用いた前身頃地１と後身頃地２とを結合してパンツを形成し、その上部に腰帯地３を接合する。腰帯地３の両端３ａ、３ｂは、前開き部ａの上縁位置で突合せできるように配置される。そして上記前開き部ａには、コンシールファスナー４が取付けられ、その開閉体６が開閉手段7を上下動させることにより、接離して前開き部ａの開閉が行われる。そしてファスナー４の上端４ａが腰帯地３の両端３ａ、３ｂの上縁部に取付けられ、ファスナー４の下端は、上端４ａから下方約２０センチメートルの位置の前開き部ａの下端ｂに位置している。
【００１０】
図３において、腰帯地３は、細い袋状に形成されており、内部には、帯状に伸縮するゴム帯５が封入されており、この腰帯地３の後見頃地２に対応する部分には、内部のゴム帯５の伸縮に追随して伸縮するように縫い付けられており、また腰帯地３の前見頃地１に対応する部分には、内部のゴム帯５が伸びることができないように腰帯地３に縫い付けられており、この部分では、ゴム帯５は腰帯地３の芯材として機能する。
【００１１】
図４において、上記開閉体６は、左右の噛み合い手段が金属または硬質プラスチックで形成され、多回数の使用に耐えるように構成されている。コンシールファスナー４の開閉は、上記開閉体６に係合している開閉手段７を上下動することによって左右の開閉体６を接離して行われる。
【００１２】
上記構成において、ファスナー４の開閉手段７を上方に移動させると、ファスナー４の開閉体６が前開き部ａを閉成する。この閉成状態においては、ファスナー４の開閉手段７は、腰帯地３の両端３ａ、３ｂの上縁部に位置することになり、後見頃地２の部分の腰帯地３のゴム帯５により、ファスナー４の位置する腰帯地３の巾全体に均一に左右に引張られるため、ファスナー４の上端部４ａだけが集中して引張られ、勝手に開成してしまうことがない。つまり、本実施形態によれば、ファスナーの開成を防止するため、ボタン等を用いる必要が無く、美観を著しく良好に保つことができ、かつコスト低減にも寄与する。
【００１３】
また、他の実施形態として、ファスナーの上端位置に補助的に、図６に示すような鍵状の小型フック１０を備えても良い。このような小型フック１０を備えることで、ファスナー上端の開放防止を確実ならしめることができ、さらに美感を良好に保つことができる。
【産業上の利用可能性】
【００１４】
本考案は、ファスナー付きパンツに限定されることなく、スカートにも応用可能で、広く産業上の利用可能性を有するものである。
【図面の簡単な説明】
【００１５】
【図１】本考案の一実施形態におけるファスナー付きパンツの正面図である。
【図２】本考案の一実施形態におけるファスナー付きパンツの正面図である。
【図３】図２のＡ−Ａ断面図である。
【図４】本考案の一実施形態におけるファスナー付きパンツの要部拡大断面図である。
【図５】図４おけるＢ方向矢視図である。
【図６】本考案の他の実施形態におけるファスナー付きパンツの要部拡大図である。
【符号の説明】
【００１６】
１    前見頃地
２    後見頃地
３    腰帯地
３ａ，３ｂ    両端部
４    ゴム帯
５    ファスナー
ａ    前開き部
ｂ    股上部
１０    小型フック
【図１】
0003107412.tif 000003
【図２】
0003107412.tif 000004
【図３】
0003107412.tif 000005
【図４】
0003107412.tif 000006
【図５】
0003107412.tif 000007
【図６】
0003107412.tif 000008